(57)【要約】  本願発明は、吸収物品のベルト（７０）又は側部パネルを製造するための方法であって、流れ方向（ＭＤ）において、材料ウェブ（１）を供給するステップと、前記流れ方向に沿って前記材料ウェブ（１）を少なくとも第１のウェブ部分（１０）と第２のウェブ部分（１２）とに切断するステップと、を備えている方法に関する。さらに、本願発明は、前記流れ方向に沿って、弾性ウェブ材料（３）を供給し、前記第１のウェブ部分（１０）と前記第２のウェブ部分（１２）とともに、前記弾性ウェブ材料（３）を接合することによって積層物（７）を製造するステップと、横断流れ方向（ＣＤ）に沿って、積層物から個々のベルト（７０，９０）又は側部パネルを切断するステップと、を含む方法に関する。
2011502017.tif 000002
【特許請求の範囲】
【請求項１】
吸収物品のベルト（７０）又は側部パネルを製造するための方法であって、
流れ方向（ＭＤ）において、材料ウェブ（１）を供給するステップと、
前記流れ方向に沿って前記材料ウェブを少なくとも第１のウェブ部分（１０）と第２のウェブ部分（１２）とに切断するステップと、
前記流れ方向に沿って、弾性ウェブ材料（３）を供給し、前記第１のウェブ部分（１０）と前記第２のウェブ部分（１２）とともに、前記弾性ウェブ材料（３）を接合することによって積層物（７）を製造するステップと、
横断流れ方向（ＣＤ）に沿って、前記積層物から個々のベルト（７０，９０）又は側部パネルを切断するステップと、
を備えていることを特徴とする方法。
【請求項２】
前記弾性ウェブ材料の第１の外側側部区域（３０）は、前記第１のウェブ部分に接合され、前記弾性ウェブ材料の第２の外側側部区域（３２）は、前記第２のウェブ部分に接合されることを特徴とする請求項１に記載の方法。
【請求項３】
前記第１のウェブ部分及び前記第２のウェブ部分は、互いに対して変位され、それによって、前記弾性ウェブ材料が接合される前に、間隙（１４）は、前記第１のウェブ部分と前記第２のウェブ部分との間に設けられ、前記弾性ウェブ材料が該間隙を橋渡しするように、前記弾性ウェブ材料を接合することを特徴とする請求項１又は２に記載の方法。
【請求項４】
前記第１のウェブ部分と前記第２のウェブ部分とは、互いに対して近接関係で保持され、前記第１のウェブ部分及び前記第２のウェブ部分上の前記第１の外側側部区域及び前記第２の外側側部区域の取り付け位置は、実際の切断ラインから離れて間隔を置いて配置されることを特徴とする請求項１又は２に記載の方法。
【請求項５】
前記弾性ウェブ材料は、前記横断流れ方向（ＣＤ）において弾性であることを特徴とする請求項１〜４のいずれか一項に記載の方法。
【請求項６】
前記弾性ウェブ材料は、前記流れ方向（ＭＤ）において略非弾性であることを特徴とする請求項１〜５のいずれか一項に記載の方法。
【請求項７】
ベルト又は側部パネルを着用者に固定するためのウィングタブ（６）は、所定の間隔で前記積層物の少なくとも１つの外側側部に取り付けられることを特徴とする請求項１〜６のいずれか一項に記載の方法。
【請求項８】
前記所定の間隔の寸法は、前記流れ方向（ＭＤ）において個々のベルト又は側部パネルの寸法に対応し、それによって、少なくとも１つのウィングタブが、個々のベルト又は側部パネルのそれぞれに位置されることを特徴とする請求項７に記載の方法。
【請求項９】
前記弾性ウェブ材料は、前記間隙の前記横断流れ方向における寸法より大きい、前記横断流れ方向における寸法の単一の長手方向ストリップの形態で供給されることを特徴とする請求項１〜８のいずれか一項に記載の方法。
【請求項１０】
前記弾性ウェブ材料の前記横断流れ方向における寸法は、前記材料ウェブが切断される前の、前記材料ウェブの横断流れ方向における寸法より小さいことを特徴とする請求項９に記載の方法。
【請求項１１】
前記流れ方向（ＭＤ）において第２の材料ウェブ（２）を供給するステップと、
前記流れ方向に沿って、前記第２の材料ウェブを第３のウェブ部分（２０）及び第４のウェブ部分（２２）に切断するステップと、
前記第１の材料ウェブと前記第２の材料ウェブとの間に前記弾性ウェブ材料を供給し、前記第１のウェブ部分から前記第４のウェブ部分とともに前記弾性ウェブ材料を接合することによって、積層物を製造するステップと、
をさらに含んでいることを特徴とする請求項１〜１０に記載の方法。
【請求項１２】
前記弾性ウェブ材料の前記第１の外側側部区域は、前記第１のウェブ部分と前記第３のウェブ部分とに接合され、前記弾性ウェブ材料の前記第２の外側側部区域は、前記第２のウェブ部分及び前記第４のウェブ部分に接合されることを特徴とする請求項１１に記載の方法。
【請求項１３】
前記流れ方向（ＭＤ）において第２の材料ウェブ（２）を供給するステップと、
前記流れ方向に沿って、前記第２の材料ウェブを第３のウェブ部分と第４のウェブ部分（２２）とに切断するステップと、
前記流れ方向（ＭＤ）に沿って、第２の弾性ウェブ材料（４）を供給し、且つ前記第３のウェブ部分及び前記第４のウェブ部分に前記第２の弾性ウェブ材料を接合することによって、第２の積層物（９）を製造するステップと、
をさらに含んでいることを特徴とする、請求項１〜１０のいずれか一項に記載の方法。
【請求項１４】
前記第２の弾性ウェブ材料の第１の外側側部区域は、前記第３のウェブ部分に接合され、前記第２の弾性ウェブの第２の外側側部区域は、前記第４のウェブ部分に接合されることを特徴とする、請求項１３に記載の方法。
【請求項１５】
前記弾性ウェブ材料（３，４）は、前記流れ方向（ＭＤ）に沿って、単一の弾性ウェブ材料を第１の弾性ウェブ部分（３４）と第２の弾性ウェブ部分（３６）とに切断することによって、提供されることを特徴とする請求項１３又は１４に記載の方法。
【請求項１６】
前記第１の弾性ウェブ部分及び前記第２の弾性ウェブ部分は、同じ経路に沿って、本質的に前記材料ウェブに供給されるが、前記材料ウェブの平面に対して垂直な方向で、互いから離隔して配置されることを特徴とする請求項１３〜１５のいずれか一項に記載の方法。
【請求項１７】
前記第１の材料ウェブは、前記第２の材料ウェブの伸張より小さい、前記横断流れ方向における伸張を有することを特徴とする請求項１３〜１６のいずれか一項に記載の方法。
【請求項１８】
一方で、前記第１のウェブ部分及び前記第２のウェブ部分、且つ他方で、前記第３のウェブ部分及び前記第４のウェブ部分は、互いから同じ量だけ離隔して配置され、前記第１の材料ウェブと前記第２の材料ウェブとの間の等しく離隔された間隙を生じることを特徴とする請求項１３〜１７のいずれか一項に記載の方法。
【請求項１９】
前記第１の材料ウェブ及び前記第２の材料ウェブは、前記第１の材料ウェブ及び前記第２の材料ウェブとしてそれぞれ作用する上部折り畳み部（１６）及び下部折り畳み部（１８）を構成するように、単一の材料ウェブを折り重ねることによって提供されることを特徴とする請求項１３〜１８のいずれか一項に記載の方法。
【請求項２０】
吸収構造（８）、特に、バックシート、トップシート、及び吸収体コアを含んでいる吸収構造（８）は、前記流れ方向において供給され、前記個々のベルト又は個々の側部パネルが前記吸収構造に接合されることを特徴とする請求項１〜１９のいずれか一項に記載の方法。
【請求項２１】
接合部が達成される前に、前記吸収構造及び個々のベルト又は個々の側部パネルは、同一方向で、好ましくは同じ速度で、移動されることを特徴とする請求項２０に記載の方法。
【請求項２２】
前記個々のベルト又は側部パネルは、前記個々のベルト又は側部パネルの一方の外側取付側部（７２）上のみで前記吸収構造に固定的に取り付けられることを特徴とする請求項２０又は２１に記載の方法。
【請求項２３】
前記個々のベルト又は側部パネルの他方の外側側部は、開放可能なバンドによって前記吸収構造に取り付けられることを特徴とする請求項２０に記載の方法。
【請求項２４】
前記ベルト又は前記側部パネルの前記取付側部（７２）は、前記吸収構造の２つの層の間に少なくとも部分的に挟みこまれ、特にトップシートとバックシートとの間に少なくとも部分的に挟みこまれることを特徴とする請求項２０〜２３のいずれか一項に記載の方法。
【請求項２５】
前記ベルト又は前記側部パネルの前記取付側部は、前記ベルト又は前記側部パネルが前記吸収構造に接合される前に、前記吸収構造の外側縁部の周りで折り畳まれることを特徴とする請求項２４に記載の方法。
【請求項２６】
吸収物品の少なくとも２つのベルト（７０）又は側部パネルを製造する方法であって、
流れ方向（ＭＤ）において第１の材料ウェブ（１）及び第２の材料ウェブ（２）を供給するステップと、
前記流れ方向に沿って、前記第１の材料ウェブ（１）及び前記第２の材料ウェブ（２）を切断するステップと、
前記流れ方向において弾性ウェブ材料（３）を供給するステップと、
前記流れ方向に沿って、前記弾性ウェブ材料（３）を第１の弾性ウェブ部分（３４）及び第２の弾性ウェブ部分（３６）に切断するステップと、
前記第１の弾性ウェブ部分を前記第１の材料ウェブに取り付け、切断部を橋渡しすることによって、第１の積層物（７）を製造するステップと、
前記第２の弾性ウェブ部分を前記第２の材料ウェブに取り付け、切断部を橋渡しすることによって、第２の積層物（９）を製造するステップと、
横断流れ方向（ＣＤ）に沿って、前記積層物から２つの個々のベルト（７０，９０）又は側部パネルを切断するステップと、
を備えていることを特徴とする方法。
【請求項２７】
２つの前記積層物は、切断される前に、互いに位置を合わせされ、
位置を合わされた積層物から２つの個々のベルト又は側部パネルを同時に切断することを特徴とする請求項２６に記載の方法。
【請求項２８】
吸収物品のための積層物、特に、吸収物品のベルト又は側部パネルのための積層物であって、
第１のウェブ部分（１０）及び第２のウェブ部分（１２）に切断された少なくとも第１の材料ウェブ（１）を備え、
前記第１のウェブ部分及び前記第２のウェブ部分は、互いから離隔して配置され、弾性ウェブ材料（３）によって接続され、
該積層物が前記請求項１〜２７のいずれか一項に記載の方法によって製造されることを特徴とする積層物。
【請求項２９】
第１の材料ウェブ（１）及び第２の材料ウェブ（２）を備え、
前記第１の材料ウェブは、第１のウェブ部分（１０）及び第２のウェブ部分（１２）に切断され、前記第２の材料ウェブ（２）は、第３のウェブ部分（２０）及び第４のウェブ部分（２２）に切断され、
前記第１のウェブ部分及び前記第３のウェブ部分と、前記第２のウェブ部分及び前記第４のウェブ部分とは、それぞれ、各ウェブ部分の間に積層された弾性ウェブ材料によって互いに接合されることを特徴とする請求項２８に記載の積層物。
【請求項３０】
請求項２８又は２９のいずれか一項に記載の積層物から形成された少なくとも１つのベルト又は側部パネルを備えている吸収物品。
【発明の詳細な説明】
【技術分野】
【０００１】
本願発明は、吸収物品の分野に関し、特に幼児用オムツ又は大人用失禁製品の分野に関する。より具体的には、本願発明は、それらの吸収物品のベルト又は側部パネルに関し、着用者にオムツ又は失禁製品を固定するのに役立つ吸収物品のベルト又は側部パネルに関する。
【０００２】
この種類の吸収物品は通常、バックシート、トップシート、及びバックシートとトップシートとの間の吸収体コアを含んでいる吸収構造を備える。吸収物品が着用される場合に、トップシートは、使用者に向けて方向付けられるように意図される。吸収物品を着用者の腰周りに固定するために、固定システムは、典型的にベルトシステムの形態で、又は側部パネルの形態で吸収構造に設けられる。慣習的に、ベルト又は側部パネルは、吸収構造から横向きに延在しており、それによって、ベルト又は側部パネルは、着用者に吸収物品を固定するために、互いに固定されることができ、吸収構造上の着地領域に接続されることができる。
【０００３】
着用者が、特に寝たきりの人々が、成人用失禁製品を着用する状態になる場合に、吸収物品のベルト又は側部パネルが、一方で、着用者に快適な装着を提供するが、他方で、着用者の異なる活動レベルのために適応させるために、しっかり締め付けた装着を提供することは、所望される。それ故に、吸収物品のためのベルト又は側部パネルを提供するための異なるコンセプトは、提案されている。
【背景技術】
【０００４】
吸収物品、特に成人用失禁製品は、典型的に相当な期間及び毎日に亘って、各着用者によって着用される。それ故に、吸収物品の快適な装着は、着用者の満足できる生活状態を増加させるために、重大である。成人用失禁製品の場合において、体幹の下部の周りに着用される吸収物品は、寝たきりの人々によって、特に高齢者によって通常使用される。それらの精神的な状態及び活動レベルに応じて、異なる種類の失禁製品は、着用者の固有の必要性のために適応させるように通常使用される。寝たきりの人々に適用された失禁製品は通常、看護職員又は他の介護者によって着用者に適用される。
【０００５】
それ故に、バランスは、着用者の動きによる吸収物品の漏れ又はずれの発生を低減するために、失禁製品の締め付けた装着と、失禁製品の着用者の満足できる生活状態を増加するために、実際の着用の快適性と、特に看護職員又は他の介護者によって、失禁製品の便利で、素早く、支障のない適用を容易にするために有効な適用性と、の間で見つけられなければならない。ベルト又は側部パネルが看護職員又は介護者によって、実際に動作される、及び／又は操作される要素であるので、ベルト又は側部パネルは、この態様において重要な役割を担う。それ故に、この態様において、信頼性、製造効率性、及び製品品質を改善することは、重要である。
【０００６】
失禁製品の毎日の使用中に着用者の異なる位置のために適応されるために、特許文献１は、側部パネルにおいて、各側部パネルの基端部で伸張可能な部分を含んでいる使い捨てオムツを提案する。伸張可能な部分は、オムツの締め付けた装着を増加するために、異なる着用位置を適応するのに役立つ。
【０００７】
特許文献２には、ウィング付きの吸収物品を製造する方法に関する。この方法によれば、ウィングを形成する材料ウェブは、吸収物品のシャーシとともに供給され、折り畳まれたウィング部分がウィングを形成する材料から切断され、シャーシに取り付けられる。
【０００８】
特許文献３は、受容ウェブに別個のウェブ部分を適用するためのプロセスに関する。この開示によれば、ウェブは、ウェブ移送装置へ一定の速度で供給され、且つ該ウェブは、次いでウェブ部分に切断され、受容ウェブに適用される。
【先行技術文献】
【特許文献】
【０００９】
【特許文献１】特開平０９−１５４８８４  Ａ号明細書
【特許文献２】欧州特許第１  ２６９  ９４９  Ａ２号明細書
【特許文献３】欧州特許第１  ００４  ２８５  Ａ１号明細書
【特許文献４】国際公開第２００６／０６５１７７  Ａ１号パンフレット
【特許文献５】国際公開第０３／０８２１６８  Ａ１号パンフレット
【特許文献６】国際公開第０３／０９４８１５  Ａ１号パンフレット
【特許文献７】国際公開第９９／３７２６３  Ａ１号パンフレット
【発明の概要】
【発明が解決しようとする課題】
【００１０】
本願発明の目的は、生じるベルト又は側部パネルの品質及び生じる吸収物品の品質と同様に、製造の効率性を改善する、吸収物品のベルト又は側部パネルを製造する方法を提供することである。本願発明のさらなる目的は、改善された品質及び用途特性を有する、吸収物品、特にベルト又は側部パネル、及びそのようなベルト又は側部パネルを有する吸収物品のための積層物を提供することである。
【００１１】
それらの目的は、請求項１及び請求項２６によるベルト又は側部パネルを製造する方法によって、請求項２８による吸収物品のための積層物によって、及び請求項３０による吸収物品によって、達成される。
【００１２】
この開示において、「ベルト」との用語は、着用者に吸収物品を固定するために使用される細長い構造を意味するように理解される。該ベルトは、着用者の腰の周りに互いに接合されるように位置される。従来、ベルトは、前方部分又は後方部分において吸収物品に固定的に取り付けられ、着用者に吸収物品を固定するために、吸収物品の前方部分及び後方部分のそれぞれ他方に取り付けられることができる。吸収物品にベルトを取り付けるために、ベルトの後方部又は代替的には前方部は、吸収物品に、又は代替的には他のベルトに、取り付けられることができる固定装置を示す。着用者に固定された吸収物品の配置において、ベルトは、吸収物品の腰部分の一部を形成する。ベルト型のオムツを着用する場合に、ベルトは、第１段階で、着用者の腰周りで固定される。オムツの吸収部分の自由な横断方向端部は、次いで、着用者の脚の間で通過され、着用者から離隔して対向しているベルトの側部に取り付けられる。ベルト型のオムツの形態である吸収物品の例、すなわち、固定構造としてベルトを有するオムツは、特許文献４に示される
【００１３】
この開示において、「側部パネル」との用語は、吸収物品が着用される場合に、吸収物品の側部に位置され、パンツ型吸収物品の相当部分を構成している、吸収物品の一部に関するように理解される。従来、側部パネルは、パンツ型吸収物品が、普通のパンツと同じ方法で着用される、又は脱がされることができる、又は、代替的には、従来のオムツと同じ方法で着用される、又は脱がされることができるように、再封止可能とされる。側部パネルは従来、吸収物品の吸収部分に直接的に取り付けられる。側部パネルを有するオムツの例は、特許文献５又は特許文献６に示される。
【００１４】
言い換えれば、ベルト及び側部パネルは、とりわけそれらの寸法に対して異なる。ベルトは、幾分細長い、通常矩形状の構成を有し、目標となる着用者の腰の周囲の略半分の長さを有する。側部パネルは、ある程度複雑な形状を有し、該形状は、それらの縁部の一方の縁部に沿ってレッグホールの区域を収容し、他の縁部に腰部分を構成する。周囲方向における側部パネルの長さは従来、吸収物品のトップシート及び／又はボトムシートのフットプリントの前方部と後方部との間のみに延在し、従来、着用者の腰の周囲の約四分の一に延在する。横方向において、ベルトは従来、側部パネルよりかなり小さい寸法を有する。
【課題を解決するための手段】
【００１５】
それ故に、吸収物品のベルト又は側部パネルを製造する方法は、流れ方向おいて材料ウェブを供給するステップと、前記流れ方向において、前記材料ウェブを第１のウェブ部分と第２のウェブ部分とに切断するステップと、を備える。次いで、積層物は、前記流れ方向に沿って、弾性ウェブ材料を供給することによって、且つ弾性ウェブ材料を第１のウェブ部分及び第２のウェブ部分とともに接合することによって、製造される。次いで、個々のベルト又は側部パネルは、横断流れ方向に沿って前記積層物から切断される。
【００１６】
流れ方向のみにおける、ベルト又は側部パネルの主要な区域を提供する材料ウェブとされる、単一の材料ウェブの供給によって、及び後続の、流れ方向に沿って材料ウェブを切断するステップによって、ベルト又は側部パネルの非常に正確な供給及び製造は、該方法によって可能とされる。特に、材料ウェブが一定の幅を有するので、生じるベルト又は側部パネルも、一定の幅を有し、生じるベルト又は側部パネルが同一材料から形成されるので、材料ウェブから形成されたベルトの区域の品質は、一定の品質を有する。
【００１７】
２つの以前に切断された第１のウェブ部分及び第２のウェブ部分を再接続することによって積層物を製造するステップの結果として、生じる積層物は、非常に正確なレイアウトを受容する。特に、第１のウェブ部分及び第２のウェブ部分が単一の材料ウェブから生じるので、第１のウェブ部分及び第２のウェブ部分は、平行な方法で容易に位置合わせされることができる。特に、単一の材料ウェブのみが供給され、且つ機械において位置合わせされなければならないので、ウェブハンドリングは、改善される。
【００１８】
好ましい実施形態において、弾性ウェブ材料の第１の外側側部区域は第１のウェブ部分に接合され、弾性ウェブ材料の第２の外側側部区域は第２のウェブ部分に接合される。
【００１９】
それは、弾性ウェブ材料が積層物を製造するために取り付けられる前に、間隙が第１のウェブ部分と第２のウェブ部分との間に提供されるように、第１のウェブ部分及び第２のウェブ部分を互いに対して有利に変位させることであり、弾性ウェブ材料が間隙を橋渡しするように、弾性ウェブ材料が取り付けられる。そのような間隙の提供によって、生じるベルト又は側部パネルの弾性特性は、正確に調整されることができる。
【００２０】
それにもかかわらず、該方法のさらなる有利な形態において、第１のウェブ部分及び第２のウェブ部分は、互いに対して近接関係で保持され、第１のウェブ部分及び第２のウェブ部分上の第１の外側側部区域及び第２の外側側部区域の取付位置は、実際の切断ラインから所定の距離で配置される。弾性ウェブ材料が第１のウェブ部分に実際に取り付けられ、且つ第２のウェブ部分に実際に取り付けられる取付位置が切断ラインから離隔して配置されるので、弾性ウェブ材料の相当区域は、第１のウェブ部分と第２のウェブ部分との間で弾性的に作用することができる。
【００２１】
好ましい実施形態において、弾性ウェブ材料は、横断流れ方向で弾性である。さらに、いくつかの用途において、弾性ウェブ材料が流れ方向において本質的に非弾性であり、特に、弾性ウェブ材料が流れ方向における材料ウェブと同一の弾性力を有するように、弾性ウェブ材料が流れ方向において本質的に非弾性であることは、有利とされる場合がある。
【００２２】
好ましくは、さらなるステップにおいて、ウィングタブは、所定の間隔で、積層物の一の外側側部に取り付けられる。所定の間隔の寸法は、好ましくは、流れ方向で個々のベルト部分の寸法に対応し、それによって、少なくとも１つのウィングタブが個々のベルトのそれぞれに位置される。
【００２３】
該方法の好ましい変形実施形態において、弾性ウェブ材料は、間隙の横断流れ方向の寸法より大きい横断流れ方向の寸法を有する長手方向のストリップの形態で供給される。特に、弾性ウェブ材料の横断流れ方向の寸法は、好ましくは、材料ウェブが切断される前に、材料ウェブの横断流れ方向の寸法より小さい。
【００２４】
さらなる好ましい実施形態において、該方法は、第１の材料ウェブと同じ方向に沿って第２の材料ウェブを供給するステップと、前記流れ方向に沿って第３のウェブ部分及び第４のウェブ部分に第２の材料ウェブを切断するステップと、第１の材料ウェブと第２の材料ウェブと間で弾性ウェブ材料を供給し、且つ第１のウェブ部分から第４のウェブ部分とともに弾性ウェブ材料を接合することによって積層物を製造するステップと、をさらに含む。
【００２５】
この好ましい変形実施形態において、積層物は、互いの上に実質的に配置され、且つ準備された２つの材料ウェブから作成され、弾性ウェブ材料が切断の区域において２つの材料ウェブの間で延在する。この方法は、異なる上部側部又は下部側部を有することができる材料ウェブを有するベルト又は側部パネルの製造を可能にする。さらに、弾性ウェブ材料が第１の材料ウェブと第２の材料ウェブとの間で実質的に挟みこまれるので、弾性材料から延在している鋭い縁部又都合の悪い縁部が実質的に存在せず、それによって、着用者が必然的に弾性材料と接触状態にならない。
【００２６】
この方法の特定の変形実施形態において、弾性ウェブ材料は、第１のウェブ部分及び第３のウェブ部分で、及び第２のウェブ部分及び第４のウェブ部分で、第１の材料ウェブと第２の材料ウェブとの間で実質的に挟み込まれる。
【００２７】
積層物は、２つの材料ウェブが互いの上に本質的に配置され、弾性ウェブ材料が、２つに切断され、該切断された弾性ウェブ材料は、第１のウェブ部分及び第３のウェブ部分と、第２のウェブ部分と第４のウェブ部分とを接続し、切断部を橋渡しすることで製造される。第１の弾性ウェブ部分及び第２の弾性ウェブ部分はまた、互いの上に実質的に配置される。
【００２８】
それ故に、この方法において、積層物は、弾性ウェブが２つに切断され、かつ材料ウェブに取り付けられるので、一方で、互いの上での第１の材料ウェブ及び第２の材料ウェブの取付による増加された強さと、他方で、特に材料ウェブへの弾性部分の取り付けに対する、弾性部分の増加された強さと、を有するように製造されることができる。
【００２９】
この態様において、同様に２つの別個の弾性ウェブ材料は供給されることができ、該２つの別個の弾性ウェブ材料の一方が第１の材料ウェブと第２の材料ウェブとの間で配置され、２つの別個の弾性ウェブ材料の他方は、第１の材料ウェブの外面の上に配置され、第１の材料ウェブ及び第２の材料ウェブにおいて切断をそれぞれ橋渡しする。
【００３０】
好ましい変形実施形態において、第１の弾性ウェブ部分及び第２の弾性ウェブ部分は、実質的に同じ経路に沿って材料ウェブに供給されるが、垂直方向において互いから離隔されて配置される。「垂直方向」との用語は、材料ウェブによって画定された平面に対して略垂直とされる方向を意味する。
【００３１】
該方法の他の変形実施形態において、第１の材料ウェブは、第２の材料ウェブの寸法より小さい横断流れ方向の寸法を有し、その一の端部で、第２の材料ウェブのみが存在し、且つ第１の材料ウェブによって重ね合わされていない区域を有する積層物を生じる。この特定の実施形態は、吸収物品の生じるベルト又は側部パネルの着用の快適性に関する利点を提供する。
【００３２】
一方で第１のウェブ部分及び第２のウェブ部分と、他方で第３のウェブ部分及び第４のウェブ部分とが、同じ量によって、互いから離隔して間隔をあけて配置され、第１の材料ウェブと第２の材料ウェブとの間に等しく離隔された間隙が生じることは、該方法における好ましい。
【００３３】
さらに、さらなる他の好ましい変形実施形態において、第１の材料ウェブ及び第２の材料ウェブは、上部折り畳み部分及び下部折り畳み部分を構成するように単一の材料ウェブに亘って折り畳むことによって提供され、該上部折り畳み部分及び該下部折り畳み部分は、それぞれ、第１の材料ウェブ及び第２の材料ウェブとして作用する。この特定の変形実施形態は、幅広の寸法を有するベルト又は側部パネルが、好ましい実施形態において、２つの異なる区域で弾性材料を運搬することができるように製造されるので、さらに効率的な製造方法を提供する。
【００３４】
さらなる他の変形実施形態によれば、吸収物品の少なくとも２つのベルト又は側部パネルの製造方法は示唆され、該製造方法は、流れ方向において第１の材料ウェブ及び第２の材料ウェブを供給するステップと、該流れ方向に沿って、第１の材料ウェブ及び第２の材料ウェブを切断するステップと、を備える。さらに、弾性ウェブ材料は、供給され、該弾性ウェブ材料は、流れ方向に沿って第１の弾性ウェブ部分及び第２の弾性ウェブ部分に切断される。第１の積層物は、第１の材料ウェブに第１の弾性ウェブ部分を取り付け、切断部を橋渡しすることによって製造され、第２の積層物は、第２の材料ウェブに第２の弾性ウェブ部分を取り付け、切断部を橋渡しすることによって、製造される。少なくとも２つの個々のベルト又は側部パネルは、横断流れ方向に沿って積層物から切断される。
【００３５】
上述された方法において、２つの積層物は、切断する前に互いに位置を合わされ、２つのベルト又は側部パネルは、位置を合わされた積層物から同時に切断される。
【００３６】
好ましくは、該方法において、吸収構造、特にバックシート、トップシート、及び吸収体コアを含んでいる吸収構造は、積層物の流れ方向で供給され、個々のベルト部分又は個々の側部パネル部分が吸収構造に取り付けられる。個々のベルト構造又は個々の側部パネルの取付は、好ましくは、それらが同一方向に、同じ速度で移動するように、吸収構造と同一方向において移動する間に達成される。
【００３７】
好ましくは、着用の快適性を増加するために、個々のベルト又は側部パネルは、個々のベルト又は側部パネルの外側側部のうち一つのみで、吸収構造に固定的に取り付けられる。これは、ベルト又は側部パネルを使用して着用者の周りで折り畳まれることを可能にする。しかしながら、他の外側側部は、生産効率及び梱包効率を増加させるために、開放可能な接着によって、吸収構造に取り付けられることができる。
【００３８】
本願発明のさらなる態様において、吸収物品のための積層物、特にベルト又は側部パネルのための積層物は提案され、該積層物は、第１のウェブ部分及び第２のウェブ部分に切断される少なくとも第１の材料ウェブを備えており、第１のウェブ部分及び第２のウェブ部分は、互いに離隔して配置され、弾性ウェブ材料によって接続され、該積層物は、上述されるような方法によって製造される。
【００３９】
さらに好ましい実施形態において、積層物は、第１の材料ウェブと第２の材料ウェブとを備え、第１の材料ウェブは、第１のウェブ部分及び第２のウェブ部分に切断され、第２の材料ウェブは、第３のウェブ部分及び第４のウェブ部分に切断され、第１のウェブ部分及び第３のウェブ部分と、第２のウェブ部分及び第４のウェブ部分とは、互いの上に本質的に配置され、第１のウェブ部分及び第３のウェブ部分と、第２のウェブ部分及び第４のウェブ部分とは、それぞれ、各ウェブ部分の間に積層された弾性ウェブ材料によって互いに接続される。
【００４０】
他の異なる好ましい実施形態において、同様に第２のウェブ部分に第１のウェブ部分を接続する第２の弾性ウェブ材料は、第１の材料ウェブの外側表面に配置される。
【００４１】
本願発明の他の態様によれば、吸収物品がそのような積層物から形成されるベルト又は側部パネルを備えているように提供されることは、好ましい。
【００４２】
様々な例示的な実施形態は次いで、取り付けられた図面を参照して、例示的な方法のみによって、より詳細に記載されるであろう。
【図面の簡単な説明】
【００４３】
【図１】一の弾性材料と一の弾性ウェブ材料とを提供する、吸収物品のベルト又は側部パネルを製造する例示的な方法の図式的な斜視図である。
【図２】単一の弾性ウェブ材料が２つの材料ウェブの間に挟み込まれ、２つの材料ウェブに接合された状態で、２つの材料ウェブを示している他の例示的な方法の斜視図である。
【図３】一の弾性ウェブ材料が第１のウェブ材料に接合され、且つ第２の弾性ウェブ材料が第２の材料ウェブに接合される２つの材料ウェブ及び２つの弾性ウェブ材料を使用して、２つのベルト又は側部パネルを製造するための他の方法の図式的な斜視図である。
【図４】単一の弾性ウェブ材料が第１の弾性ウェブ部分及び第２の弾性ウェブ部分に切断され、第１の弾性ウェブ部分が第２の材料ウェブに接合され、第２の弾性ウェブ部分が第１の材料ウェブに接合される、２つの材料ウェブ及び単一の弾性ウェブ材料を使用して、２つのベルト又は側部パネルを製造するための他の例示的な方法の図式的な斜視図である。
【図５】一の弾性ウェブ材料が第１の材料ウェブに接合され、且つ第１の材料ウェブと第２の材料ウェブと間に実質的に挟み込まれ、２つの他の弾性ウェブ材料が第１の材料ウェブ及び第２の材料ウェブの各外側側部に接合される、第１の材料ウェブ及び第２の材料ウェブと３つの弾性ウェブ材料とを使用して、ベルト又は側部パネルを製造するさらなる他の方法の図式的な斜視図である。
【図６】差異が、単一であるが、側方に延在された材料ウェブが使用され、２つの材料ウェブの層に折り畳まれることである、図４に示された方法に概略的に似ている例示的な方法のさらなる他の概略的な斜視図である。
【発明を実施するための形態】
【００４４】
吸収物品のベルト又は側部パネルを製造する方法の好ましい例示的な実施形態は、図面を参照して詳細に記載されるであろう。類似の参照符号は、類似の構成要素又は同一の構成要素を特定し、各実施形態におけるそれらの特徴の繰り返される説明は、省かれる。
【００４５】
図１は、好ましい製造方法の概略的な斜視図を示す。第１の材料ウェブ１は、提供され、流れ方向ＭＤにおいて切断手段９０に向けて供給され、該切断手段は、ナイフとして図面で概略的に示される。第１の材料ウェブ１は、切断手段９０によって第１のウェブ部分１０と第２のウェブ部分１２とに切断される。第１のウェブ部分１０と第２のウェブ部分１２との間の間隙１４は提供され、互いに対して横断流れ方向ＣＤにおいて、第１のウェブ部分１０と第２のウェブ部分１２との僅かな変位から生じる。それ故に、切断ステップ及び変位ステップを通過した後で、第１のウェブ部分１０及び第２のウェブ部分１２は、流れ方向ＭＤにおいて互いに対して平行に運搬され、そして、間隙１４は、第１のウェブ部分と第２のウェブ部分１２との間に提供される。
【００４６】
しかしながら、切断手段が基本的に示された実施形態において、たとえ第１の材料ウェブ１の中間に位置されるとしても、切断手段が第１の材料ウェブ１の幅と交差して任意の他の適切な位置に位置されることができることは、理解されるべきである。特に、切断手段は、例えば材料ウェブの幅の１／３、材料ウェブの幅の１／４、材料ウェブの幅の１／５、又は材料ウェブの幅の１／６の位置、又は任意の他の適切な位置で位置されることができる。
【００４７】
弾性ウェブ材料３は、第１のウェブ部分１０と第２のウェブ部分１２とを接合するように提供される。弾性ウェブ材料３は、第１のウェブ部分１０と第２のウェブ部分１２との間の切断又は間隙１４を基本的に橋渡しする。
【００４８】
言い換えれば、弾性ウェブ材料３は、第１の材料ウェブ１の第２のウェブ部分１２にその第２の外側側部区域３２を接合されるとともに、第１の材料ウェブ１の第１のウェブ部分１０にその第１の外側側部区域３０に接合される。この態様において、弾性ウェブ材料３と第１のウェブ部分１０及び第２のウェブ部分１２との間の実際の接合部の位置が、材料ウェブ上の任意の適切な位置とされることは、理解されるべきである。好ましくは、該接合部は、必ずしも弾性ウェブ材料の外側縁部に必然的に位置されないが、安定した固定を確実にするために、むしろ弾性ウェブ材料の中間に向けて位置される。それ故に、弾性ウェブ材料３は、第１のウェブ部分１０と第２のウェブ部分１２との間の間隙１４を橋渡しし、それ故に、以前に切り離された２つのウェブ部分１０、１２を再接続する。示された方法において、間隙１４を橋渡しする弾性ウェブ材料３の少なくとも区域は、生じる積層物７における幅方向ＣＤにおいて、弾性移動のために提供する弾性要素として作用する。より具体的には、第１のウェブ部分１０及び第２ウェブ部分１２とともに、弾性ウェブ材料の接合部の位置の間で延在している弾性ウェブ材料３の区域は、弾性手段として役立つ。それ故に、積層物７は、本来供給された第１のウェブ材料１を備え、第１のウェブ材料１０及び第２のウェブ材料１２に切断され、且つ弾性ウェブ材料３によって再接続される。
【００４９】
弾性ウェブ材料３が横断流れ方向ＣＤにおいてのみ弾性であるが、流れ方向ＭＤにおいて本質的に非弾性である場合に、積層物７の処理及び製造方法は改善される。これは、弾性ウェブ材料３が流れ方向ＭＤにおいて本質的に非弾性である配置、又は、より好ましくは、流れ方向において第１の材料ウェブ１の弾性と等しい流れ方向における弾性モジュールを有する配置において、流れ方向ＭＤにおける弾性ウェブ材料３の弾性張力による任意のしわ（ｗｒｉｎｋｌｉｎｇ）が、避けられることができるとの事実による。それにもかかわらず、弾性ウェブ材料３が、横断流れ方向ＣＤにおいて弾性である場合に、弾性効果は、積層物７の横断流れ方向ＣＤにおいて見られることができる。
【００５０】
好ましい製造ステップにおいて、ウィングタブ６は、積層物に取り付けられ、特に第１のウェブ部分１０の外側側部に取り付けられ、該ウィングタブ６は、積層物７から切断される個々のベルト７０の流れ方向における寸法に本質的に対応する、互いに対して所定の間隔で離隔される。特に、１つ以上のウィングタブは、個々のベルトのそれぞれに位置されることができ、ウィングタブの異なるピッチに導かれる。
【００５１】
後続のステップにおいて、積層物７は、横断流れ方向ＣＤにおいて個々のベルト７０又は側部パネルに切断される。特に、個々の切断は、ウィングタブ６の間の積層物７の区域において実行され、それによって、ウィングタブは、無傷な状態である。
【００５２】
好ましいステップにおいて、キャリアーウェブ８の形態で図１に概略的に示される吸収構造８は、積層物７と同じ方向に供給される。それ故に、積層物７及びキャリアーウェブ８は、同一方向に移動する。積層物７及びキャリアーウェブ８の運搬速度は異なるが、ベルト７０及びキャリアーウェブ８の速度は、好ましくは、ベルト７０がキャリアーウェブ８に接合される区域において同一である。ベルト７０は、次いで、その取付側部７２でキャリアーウェブ８に接合され、該取付側部７２は、ウィングタブ６が配置されるベルト７０の側部７４と対向して位置される。これは、吸収物品の効率的で連続的な製造を可能にする。ベルトがキャリアーウェブの不連続な部分にのみ位置される場合、積層物７の速度は、キャリアーウェブ８の速度よりかなり遅い。
【００５３】
ベルト７０をキャリアーウェブ８に接着する処理は、異なる方法により実行される場合がある。一の好ましい方法によれば、キャリアーウェブ８は、それ故に製造された吸収物品のトップシート（又はバックシート）である。ベルト７０は、キャリアーウェブ８上の重複関係又は部分的な重複関係で配置され、ベルト７０の取付側部７２は、例えば、接着剤を塗布することによって、又は加熱接着することによって、キャリアーウェブ８に接合される。後続のステップにおいて、バックシート（又はトップシート）は、トップシート（又はバックシート）に適用され、該トップシートと該バックシートとの間にベルト７０の取付側部７２を挟み込み、接合する。
【００５４】
ベルト７０をキャリアーウェブ８に取り付ける他の好ましい方法において、ベルト７０は、キャリアーウェブ８の縁部８０の周りで取付側部７２を曲げることによって、又は取付側部７２を折り畳むことによって、キャリアーウェブ８に取り付けられる場合があり、結果として、ベルト７０の取付側部７２は、ベルト７０の残りの部分よりキャリアーウェブ８の対向表面上に位置される状況が生じる。この方法は、特許文献７に記載される。
【００５５】
キャリアーウェブ８にベルト７０を接着する両方の方法は、以下に記載される全ての次の方法で使用されることもできる。
【００５６】
図１に戻って参照すると、間隙１４が第１のウェブ部分１０と第２のウェブ部分１２との間に示されるけれども、代替実施形態において、第１のウェブ部分１０及び第２のウェブ部分１２は、互いに対して近接関係で保持され、それによって、切断自体のみは、間隙１４が図１に示される位置で存在する。しかしながら、第１のウェブ部分及び第２のウェブ部分上の第１の外側側部区域及び第２の外側側部区域の取付位置は、実際の切断ラインから所定の距離で配置される。そのような実施形態において、弾性ウェブ材料の効果的な弾性部分は、実際の切断ラインから所定の距離で第１の外側側部区域３０及び第２の外側側部区域３２を配置することによって、達成されることができる。言い換えれば、弾性材料の十分な区域は、生じる積層物における弾性を提供するために、弾性ウェブ材料がウェブ材料に接着される位置の間に設けられる。
【００５７】
図２は、吸収物品のベルト又は側部パネルを製造する他の好ましい方法の図式の斜視図を示す。第１の材料ウェブ１は、切断手段９０に向けて供給され、第１のウェブ部分１０及び第２のウェブ部分１２に第１のウェブ材料１を切断し、横断流れ方向ＣＤにおける変位によって、第１のウェブ部分１０と第２のウェブ部分１２との間に間隙１４を提供する。
【００５８】
第２の材料ウェブ２はまた、流れ方向ＭＤにおいて第２の切断装置９２に向けて供給され、第３のウェブ部分２０と第４のウェブ部分２２とに第２の材料ウェブ２を切断し、横断流れ方向ＣＤにおける変位によって、第３のウェブ部分２０と第４のウェブ部分２２との間に間隙２４を提供する。横断流れ方向ＣＤにおける間隙１４、２４の幅は、本質的に同じ値に保たれる。
【００５９】
弾性ウェブ材料３は、第１の材料ウェブ１と第２の材料ウェブ２との間に供給され、且つ第１のウェブ部分１０と第２のウェブ部分１２とに接合され、それによって、その第１の外側側部区域３０は、第１のウェブ部分１０と同様に、第３のウェブ部分２０に接合される。弾性ウェブ材料３の第２の外側側部区域は、第４のウェブ部分２２に接合され、且つ第２のウェブ部分１２に接合される。
【００６０】
生じる積層物７は、第１の材料ウェブ１と第２の材料ウェブ２との間に弾性ウェブ材料３を挟み込み、弾性ウェブ材料３は、第１の材料ウェブ１と第２の材料ウェブ２との両方の層に接合される。
【００６１】
最終的に切断された個々のベルト７０をキャリアーウェブ８に取り付ける方法は、図１に示され、且つ図１に記載される方法に対応する。
【００６２】
図３は、吸収物品の２つのベルト又は２つの側部パネルを同時に製造する本願発明の方法のさらなる他の変形実施形態を示す。基本構造は、図２に示され、且つ図２に説明される構造に似ている。それにもかかわらず、第１の弾性ウェブ材料３に加えて、第２の弾性ウェブ材料４は、流れ方向ＭＤにおいて提供され、且つ供給される。図３に見られるように、第２の弾性ウェブ材料４は、第２の材料ウェブ２上に配置され、それ故に、第３のウェブ部分２０と第４のウェブ部分２２との間の間隙２４を橋渡しし、第３のウェブ部分２０と第４のウェブ部分２２とを接合する。第１の弾性ウェブ材料３は、第１のウェブ部分１０と第２のウェブ部分１２とに接合する。
【００６３】
その結果として、第１の弾性ウェブ材料３及び第２の弾性ウェブ材料４によって提供された弾性部分を有している第１の積層物７及び第２の積層物９は、形成される。２つの積層物７、９は、互いに取り付けられるものではなく、互いに対して固定された位置的な関係である、すなわち、積層物７、９が互いに位置を合わせる関係である。特に、第２の積層物９の取付側部９２は、第１の積層物７の外側縁部に亘って横方向にわずかに延在する。切断後に、これは、第１の材料ウェブ１と第１の弾性ウェブ材料３とから形成された第１の積層物７から生じる第１のベルト７０と、第２の材料ウェブ２と第２の弾性ウェブ材料４とから形成された第２の積層物から生じる第２のベルト９０と、を生じる。第１のベルト７０及び第２のベルト９０は、キャリアーウェブ８に取付側部７２、９２で接合される。取付側部７２、９２は、互いに対向して位置され、２つのベルト７０、９０がキャリアーウェブ８に取り付けられた状態でキャリアーウェブ８の構造を生じ、２つのベルトがキャリアーウェブ８の２つの対向する縁部８０、８２に接合され、ベルト７０、９０の非接合側部７４、９４が自由になり、それによって、着用者の臀部の周りに延在されるように、開放可能な接着によって互いに取り付けられる。言い換えれば、図２に示された方法と異なり、２つの積層物７、９は、互いに取り付けられないものではなく、固定された位置的な関係で（すなわち、位置を合わせた様式で）キャリアーウェブ８に取り付けられる２つの別個のベルト７０、９０を生じる。
【００６４】
それにもかかわらず、代替的な配置において、第１の材料ウェブ１及び第２の材料ウェブ２は、互いに接合される場合があり、第１の弾性ウェブ材料３と第２の弾性ウェブ材料４とが、間隙１４、２４の区域において互いの上面に配置される積層物を生じる。それ故に、第１のウェブ部分１０と第２のウェブ部分１２との間の間隙１４、及び第３のウェブ部分２０と第４のウェブ部分２２との間の間隙２４は、第２の弾性ウェブ材料４によって橋渡しされる。それに加えて、第１のウェブ部分１０と第２のウェブ部分１２との間の間隙１４は、第１の弾性ウェブ材料３によって橋渡しされる。この方法は、高い強度を有する積層物７を生じる。
【００６５】
図４は、吸収物品のベルト又は側部パネルを製造するさらなる好ましい方法の斜視図を示す。この方法によって本質的に製造された２つの積層物７、９は、図３に記載された方法を参照して記載される方法に類似している。それにもかかわらず、記載された方法において、単一の弾性ウェブ材料３のみが、流れ方向に供給され、第１の弾性ウェブ部分３４と第２の弾性ウェブ部分３６とに切断される。弾性ウェブ材料３は、ナイフなどの例示的な方法のみによって図式的に示される切断手段９４によって切断される。
【００６６】
第１の弾性ウェブ部分３４は、図３において第１の弾性ウェブ材料３と略同じ方法で、第１のウェブ部分１０及び第２のウェブ部分１２を接合し、第２の弾性ウェブ部分３６は、図３において第２の弾性ウェブ材料４と略同じ方法で、第３のウェブ部分２０及び第４のウェブ部分２２を接合する。
【００６７】
図４に示された実施形態において、第２の材料ウェブ２は、第１の材料ウェブ１に対して横断流れ方向ＣＤにおいて僅かに移動される。それ故に、第２の積層物９、特に第３のウェブ部分２０、それ故に、取付側部９２は、第１の積層物７の非接合側部７４を超えて延在する。しかしながら、生じるベルト７０、９０は、その横方向（横断流れ方向）において同一の寸法（長さ）を有する。
【００６８】
図５は、さらなる他の好ましい方法のさらなる他の図式的な斜視図を示す。この方法において、第３の弾性ウェブ材料５は、流れ方向ＭＤに供給され、第２の材料ウェブ２の下面に接合される。第１の弾性ウェブ材料３は、第１の材料ウェブ１の上面に接合され、第３の弾性ウェブ材料５は、第２の材料ウェブ２の下面に接合される。さらに、第２の弾性ウェブ材料４は、第１の材料ウェブ１と第２の材料ウェブ２との間に挟みこまれ、第１の材料ウェブ１及び第２の材料ウェブ２の両方に接合される。それ故に、生じる積層物７は、弾性ウェブ材料の３つの層と、互いの上面に取り付けられた２つの材料ウェブの層と、を有し、比較的強い積層物に導く。
【００６９】
図６は、積層物７及びベルト７０を製造するさらなる他の好ましい方法を示す。この方法と図４を参照して記載された方法との間の主な差異は、単一の比較的幅の広い材料ウェブ１が流れ方向ＭＤにおいて供給されること、及び、この単一の材料ウェブ１が上部折り畳み部分１６と下部折り畳み部分１８を構成するように折り重ねられることである
【００７０】
上部折り畳み部分１６及び下部折り畳み部分１８は、図４の第１の材料ウェブ１及び第２の材料ウェブ２と同じ方法で供給される。それにもかかわらず、切断手段９４によって第１の弾性ウェブ部分３４と第２の弾性ウェブ部分３６とに切断される弾性ウェブ材料３は、上部折り畳み部分１６の上面、及び下部折り畳み部分１８の上面に配置される。特に、第１のウェブ部分３４は、間隙１４に亘って配置され、第２の弾性ウェブ部分３６は、間隙２４に亘って配置される。
【００７１】
生じるベルト７０又は側部パネルは、生じる折り畳み部７６で開くように折り畳まれることができ、それ故に、２つの弾性区域とともに、間隙１４，２４の幅を加えて第１の材料ウェブ１の本来の全幅に対応する長さを提供する。
【符号の説明】
【００７２】
１  第１の材料ウェブ
２  第２の材料ウェブ
３  弾性ウェブ材料
４  第２の弾性ウェブ材料
５  第３の弾性ウェブ材料
６  ウィングタブ
７  積層物
８  吸収構造、キャリアーウェブ
９  第２の積層物
１０  第１のウェブ部分
１２  第２のウェブ部分
１４  間隙
１６  上部折り畳み部分
１８  下部折り畳み部分
２０  第３のウェブ部分
２２  第４のウェブ部分
２４  間隙
３０  第１の外側側部区域
３２  第２の外側側部区域
３４  第１の弾性ウェブ部分
３６  第２の弾性ウェブ部分
７０  ベルト
７２  取付側部
７４  非接合側部
８０  縁部
８２  縁部
９０  切断手段、第２のベルト
９２  取付側部
９４  非接合側部、第２の切断装置
ＭＤ  流れ方向
ＣＤ  横断流れ方向
【図１】
2011502017.tif 000003
【図２】
2011502017.tif 000004
【図３】
2011502017.tif 000005
【図４】
2011502017.tif 000006
【図５】
2011502017.tif 000007
【図６】
2011502017.tif 000008
【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
吸収物品のベルト（７０）又は側部パネルを製造するための方法であって、
流れ方向（ＭＤ）において、材料ウェブ（１）を供給するステップと、
前記流れ方向に沿って延在している切断ラインに沿って前記材料ウェブを少なくとも第１のウェブ部分（１０）と第２のウェブ部分（１２）とに切断するステップと、
前記流れ方向に沿って、弾性ウェブ材料（３）を供給し、前記切断ラインを橋渡しし、生じる積層物における弾性を提供するために、前記第１のウェブ部分（１０）と前記第２のウェブ部分（１２）とともに、前記弾性ウェブ材料（３）を接合することによって積層物（７）を製造するステップと、
横断流れ方向（ＣＤ）に沿って、前記積層物から個々のベルト（７０，９０）又は側部パネルを切断するステップと、
を備えていることを特徴とする方法。
【請求項２】
前記弾性ウェブ材料の第１の外側側部区域（３０）は、前記第１のウェブ部分に接合され、前記弾性ウェブ材料の第２の外側側部区域（３２）は、前記第２のウェブ部分に接合され、前記弾性ウェブ材料が前記切断ラインを橋渡しすることを特徴とする請求項１に記載の方法。
【請求項３】
前記第１のウェブ部分及び前記第２のウェブ部分は、互いに対して変位され、それによって、前記弾性ウェブ材料が接合される前に、間隙（１４）は、前記第１のウェブ部分と前記第２のウェブ部分との間に設けられ、前記弾性ウェブ材料が該間隙及び前記切断ラインを橋渡しするように、前記弾性ウェブ材料を接合することを特徴とする請求項１又は２に記載の方法。
【請求項４】
前記第１のウェブ部分と前記第２のウェブ部分とは、互いに対して近接関係で保持され、前記第１のウェブ部分及び前記第２のウェブ部分上の前記第１の外側側部区域及び前記第２の外側側部区域の取り付け位置は、前記切断ラインから離れて間隔を置いて配置されることを特徴とする請求項１又は２に記載の方法。
【請求項５】
前記弾性ウェブ材料は、前記横断流れ方向（ＣＤ）において弾性であることを特徴とする請求項１〜４のいずれか一項に記載の方法。
【請求項６】
前記弾性ウェブ材料は、前記流れ方向（ＭＤ）において略非弾性であることを特徴とする請求項１〜５のいずれか一項に記載の方法。
【請求項７】
ベルト又は側部パネルを着用者に固定するためのウィングタブ（６）は、所定の間隔で前記積層物の少なくとも１つの外側側部に取り付けられることを特徴とする請求項１〜６のいずれか一項に記載の方法。
【請求項８】
前記所定の間隔の寸法は、前記流れ方向（ＭＤ）において個々のベルト又は側部パネルの寸法に対応し、それによって、少なくとも１つのウィングタブが、個々のベルト又は側部パネルのそれぞれに位置されることを特徴とする請求項７に記載の方法。
【請求項９】
前記弾性ウェブ材料は、前記間隙の前記横断流れ方向における寸法より大きい、前記横断流れ方向における寸法の単一の長手方向ストリップの形態で供給されることを特徴とする請求項１〜８のいずれか一項に記載の方法。
【請求項１０】
前記弾性ウェブ材料の前記横断流れ方向における寸法は、前記材料ウェブが切断される前の、前記材料ウェブの横断流れ方向における寸法より小さいことを特徴とする請求項９に記載の方法。
【請求項１１】
前記流れ方向（ＭＤ）において第２の材料ウェブ（２）を供給するステップと、
切断ラインに沿って、且つ前記流れ方向に沿って、前記第２の材料ウェブを第３のウェブ部分（２０）及び第４のウェブ部分（２２）に切断するステップと、
前記第１の材料ウェブと前記第２の材料ウェブとの間に前記弾性ウェブ材料を供給し、前記切断ラインを橋渡しして前記第１のウェブ部分から前記第４のウェブ部分とともに前記弾性ウェブ材料を接合することによって、積層物を製造するステップと、
をさらに含んでいることを特徴とする請求項１〜１０に記載の方法。
【請求項１２】
前記弾性ウェブ材料の前記第１の外側側部区域は、前記第１のウェブ部分と前記第３のウェブ部分とに接合され、前記弾性ウェブ材料の前記第２の外側側部区域は、前記第２のウェブ部分及び前記第４のウェブ部分に接合されることを特徴とする請求項１１に記載の方法。
【請求項１３】
前記流れ方向（ＭＤ）において第２の材料ウェブ（２）を供給するステップと、
切断ラインに沿って、且つ前記流れ方向に沿って、前記第２の材料ウェブを第３のウェブ部分と第４のウェブ部分（２２）とに切断するステップと、
前記流れ方向（ＭＤ）に沿って、第２の弾性ウェブ材料（４）を供給し、前記切断ラインを橋渡しし、且つ前記第３のウェブ部分及び前記第４のウェブ部分に前記第２の弾性ウェブ材料を接合することによって、第２の積層物（９）を製造するステップと、
をさらに含んでいることを特徴とする、請求項１〜１０のいずれか一項に記載の方法。
【請求項１４】
前記第２の弾性ウェブ材料の第１の外側側部区域は、前記第３のウェブ部分に接合され、前記第２の弾性ウェブの第２の外側側部区域は、前記第４のウェブ部分に接合されることを特徴とする、請求項１３に記載の方法。
【請求項１５】
前記弾性ウェブ材料（３，４）は、前記流れ方向（ＭＤ）に沿って、単一の弾性ウェブ材料を第１の弾性ウェブ部分（３４）と第２の弾性ウェブ部分（３６）とに切断することによって、提供されることを特徴とする請求項１３又は１４に記載の方法。
【請求項１６】
前記第１の弾性ウェブ部分及び前記第２の弾性ウェブ部分は、同じ経路に沿って、本質的に前記材料ウェブに供給されるが、前記材料ウェブの平面に対して垂直な方向で、互いから離隔して配置されることを特徴とする請求項１３〜１５のいずれか一項に記載の方法。
【請求項１７】
前記第１の材料ウェブは、前記第２の材料ウェブの伸張より小さい、前記横断流れ方向における伸張を有することを特徴とする請求項１３〜１６のいずれか一項に記載の方法。
【請求項１８】
一方で、前記第１のウェブ部分及び前記第２のウェブ部分、且つ他方で、前記第３のウェブ部分及び前記第４のウェブ部分は、同じ伸張を有するそれぞれの間隙によって互いから変位され、前記第１の材料ウェブと前記第２の材料ウェブとの間の等しく離隔された間隙を生じることを特徴とする請求項１３〜１７のいずれか一項に記載の方法。
【請求項１９】
前記第１の材料ウェブ及び前記第２の材料ウェブは、前記第１の材料ウェブ及び前記第２の材料ウェブとしてそれぞれ作用する上部折り畳み部（１６）及び下部折り畳み部（１８）を構成するように、単一の材料ウェブを折り重ねることによって提供されることを特徴とする請求項１３〜１８のいずれか一項に記載の方法。
【請求項２０】
吸収構造（８）、特に、バックシート、トップシート、及び吸収体コアを含んでいる吸収構造（８）は、前記流れ方向において供給され、前記個々のベルト又は個々の側部パネルが前記吸収構造に接合されることを特徴とする請求項１〜１９のいずれか一項に記載の方法。
【請求項２１】
接合部が達成される前に、前記吸収構造及び個々のベルト又は個々の側部パネルは、同一方向で、好ましくは同じ速度で、移動されることを特徴とする請求項２０に記載の方法。
【請求項２２】
前記個々のベルト又は側部パネルは、前記個々のベルト又は側部パネルの一方の外側取付側部（７２）上のみで前記吸収構造に固定的に取り付けられることを特徴とする請求項２０又は２１に記載の方法。
【請求項２３】
前記個々のベルト又は側部パネルの他方の外側側部は、開放可能なバンドによって前記吸収構造に取り付けられることを特徴とする請求項２０に記載の方法。
【請求項２４】
前記ベルト又は前記側部パネルの前記取付側部（７２）は、前記吸収構造の２つの層の間に少なくとも部分的に挟みこまれ、特にトップシートとバックシートとの間に少なくとも部分的に挟みこまれることを特徴とする請求項２０〜２３のいずれか一項に記載の方法。
【請求項２５】
前記ベルト又は前記側部パネルの前記取付側部は、前記ベルト又は前記側部パネルが前記吸収構造に接合される前に、前記吸収構造の外側縁部の周りで折り畳まれることを特徴とする請求項２４に記載の方法。
【請求項２６】
吸収物品の少なくとも２つのベルト（７０）又は側部パネルを製造する方法であって、
流れ方向（ＭＤ）において第１の材料ウェブ（１）及び第２の材料ウェブ（２）を供給するステップと、
前記流れ方向に沿って、且つ切断ラインに沿って、前記第１の材料ウェブ（１）及び前記第２の材料ウェブ（２）を切断するステップと、
前記流れ方向において弾性ウェブ材料（３）を供給するステップと、
前記流れ方向に沿って、前記弾性ウェブ材料（３）を第１の弾性ウェブ部分（３４）及び第２の弾性ウェブ部分（３６）に切断するステップと、
前記第１の弾性ウェブ部分を前記第１の材料ウェブに取り付け、生じる積層物における弾性を提供するために前記切断ラインを橋渡しすることによって、第１の積層物（７）を製造するステップと、
前記第２の弾性ウェブ部分を前記第２の材料ウェブに取り付け、生じる積層物における弾性を提供するために前記切断ラインを橋渡しすることによって、第２の積層物（９）を製造するステップと、
横断流れ方向（ＣＤ）に沿って、前記積層物から２つの個々のベルト（７０，９０）又は側部パネルを切断するステップと、
を備えていることを特徴とする方法。
【請求項２７】
２つの前記積層物は、切断される前に、互いに位置を合わせされ、
位置を合わされた積層物から２つの個々のベルト又は側部パネルを同時に切断することを特徴とする請求項２６に記載の方法。
【請求項２８】
吸収物品のための積層物、特に、吸収物品のベルト又は側部パネルのための積層物であって、
切断ラインに沿って第１のウェブ部分（１０）及び第２のウェブ部分（１２）に切断された少なくとも第１の材料ウェブ（１）を備え、
前記第１のウェブ部分及び前記第２のウェブ部分は、互いから離隔して配置され、前記切断ラインを橋渡しするように弾性ウェブ材料（３）によって接続され、
該積層物が前記請求項１〜２７のいずれか一項に記載の方法によって製造されることを特徴とする積層物。
【請求項２９】
第１の材料ウェブ（１）及び第２の材料ウェブ（２）を備え、
前記第１の材料ウェブは、切断ラインに沿って第１のウェブ部分（１０）及び第２のウェブ部分（１２）に切断され、前記第２の材料ウェブ（２）は、切断ラインに沿って第３のウェブ部分（２０）及び第４のウェブ部分（２２）に切断され、
前記第１のウェブ部分及び前記第３のウェブ部分と、前記第２のウェブ部分及び前記第４のウェブ部分とは、それぞれ、各ウェブ部分の間に積層された弾性ウェブ材料によって互いに接合され、前記弾性ウェブ材料は、前記切断ラインを橋渡しすることを特徴とする請求項２８に記載の積層物。
【請求項３０】
請求項２８又は２９のいずれか一項に記載の積層物から形成された少なくとも１つのベルト又は側部パネルを備えている吸収物品。
【国際調査報告】
2011502017.tif 000009
2011502017.tif 000010